(57)【要約】【課題】大音量の警報音を発することが可能な薄型のブザー装置及びこれを具えた携帯型電子機器を提供する。【解決手段】本発明に係るブザー装置を具えた携帯型電子機器は、スピーカ20と、スピーカ20が収容された筐体と、該筐体内に固定された背面壁32とを具え、スピーカ20の背面と背面壁32とが互いに対向しており、スイッチ操作によりスピーカ20が鳴動するものであって、更に、スイッチ操作と連動して作動する駆動機構７を具え、該駆動機構７にスピーカ20が繋がっており、駆動機構７の作動によってスピーカ20が筐体内から突出し、スピーカ20と背面壁32との間隔が拡大される。【選択図】図５
2008028595.tif 000002
【特許請求の範囲】
【請求項１】
スピーカ(20)と、該スピーカ(20)が収容された筐体と、該筐体内に配置された背面壁(32)とを具え、前記スピーカ(20)の背面と背面壁(32)とが互いに対向しており、スイッチ操作によってスピーカ(20)が鳴動するブザー装置において、前記スイッチ操作と連動して作動する駆動機構(７)を具え、該駆動機構(７)の出力部に前記スピーカ(20)が繋がっており、該駆動機構(７)の作動によって前記スピーカ(20)が前記筐体内から突出し、前記スピーカ(20)と前記背面壁(32)との間隔が拡大されることを特徴とするブザー装置。
【請求項２】
スピーカ(20)から発せられた音を前記筐体の前方へ放出するための音響通路が開設された前面壁(22)を有し、該前面壁(22)に前記スピーカ(20)が固定されており、前記スピーカ(20)が前記前面壁(22)を介して前記駆動機構(７)に連結されている請求項１に記載のブザー装置。
【請求項３】
前記駆動機構(７)は、前記前面壁(22)と背面壁(32)の間に介在する弾性体と、前記前面壁(22)と背面壁(32)とを互いに係合させるための係合手段と、前記スイッチ操作と連動して前記前面壁(22)と背面壁(32)との係合を解除するための解除手段とから構成されている請求項２に記載のブザー装置。
【請求項４】
前記前面壁(22)が前記スイッチ操作のための操作部を構成する請求項２又は請求項３に記載のブザー装置。
【請求項５】
前記前方壁(22)と一体に形成された操作片によって押されることとなるプッシュスイッチを具え、該プッシュスイッチの動作によって前記スピーカ(20)が鳴動する請求項４に記載のブザー装置。
【請求項６】
電子回路が内蔵された筐体と、該筐体内に収容されたスピーカ(20)と、前記筐体内において前記スピーカ(20)の背面に対向する背面壁(32)とを具えた携帯型電子機器において、スイッチ操作によって前記スピーカ(20)を通常の使用状態から警報音を発生させる状態に切り換えるための制御部(８)と、前記スイッチ操作と連動して作動する駆動機構(７)を具え、該駆動機構(７)の出力部に前記スピーカ(20)が繋がっており、該駆動機構(７)の作動によって前記スピーカ(20)が筐体内から突出し、前記スピーカ(20)と前記背面壁(32)との間隔が拡大されることを特徴とする携帯型電子機器。
【発明の詳細な説明】
【技術分野】
【０００１】
本発明は、大音量の警報音によって非常事態の発生を報知するためのブザー装置、及びこれを具えた携帯型電子機器に関するものである。
【背景技術】
【０００２】
近年、防犯のためのブザー装置が組み込まれた携帯電話機が開発されている。該携帯電話機によれば、ブザー装置を単体で携帯する場合に比べて、ブザー装置の携帯を忘れることが少なくなる。更に、ハンズフリーモードにて受話部として機能するスピーカをブザー音発生のためのスピーカとして兼用すれば、ブザー装置を具えた携帯電話機の小型化が可能である(例えば特許文献１参照)。
【特許文献１】特開２００２−１１８２６号公報［H04M  1/03］
【発明の開示】
【発明が解決しようとする課題】
【０００３】
ブザー装置を具えた携帯電話機においては、図８に示す様に、筐体(90)にスピーカ(91)が内蔵されており、該スピーカ(91)は、ハンズフリーモードにて受話部として機能すると共に、ブザー装置の作動時には、警報音を発生する役割を果たす。該スピーカ(91)は、携帯電話機の筐体(90)の外面(95)を形成する前面壁(92)と、筐体(90)内に固定された背面壁(94)との間に介在している。前面壁(92)には、スピーカ(91)から発せられた音を筐体(90)の前方へ放出させるための貫通孔(93)が設けられている。
【０００４】
ところで、近年の携帯電話機の薄型化に伴って、前面壁(92)と背面壁(94)との間隔が狭くなっており、これによって、スピーカ(91)と背面壁(94)との間隔も狭くなっている。この様なスピーカ(91)から後方へ向けて発せられた音は、背壁(94)により反射される。そして、スピーカ(91)から直接、前面壁(92)側に向けて進行する直接音の一部は、背面壁(94)により反射された反射音によって打ち消され、スピーカ(91)から発せられた音の音量は、筐体(90)の前方へ放出される前に低下する。従って、ブザー装置の作動時において、警報音に要求される大音量が得られない問題があった。
本願発明の目的は、大音量による鳴動が可能な薄型のブザー装置、及びこれを具えた携帯型電子機器を提供することである。
【課題を解決するための手段】
【０００５】
本発明に係るブザー装置は、スピーカ(20)と、該スピーカ(20)が収容された筐体と、該筐体内に配置された背面壁(32)とを具え、前記スピーカ(20)の背面と背面壁(32)とが互いに対向しており、スイッチ操作によってスピーカ(20)が鳴動するものであって、更に、前記スイッチ操作と連動して作動する駆動機構(７)を具え、該駆動機構(７)の出力部に前記スピーカ(20)が繋がっている。そして、前記駆動機構(７)の作動によって前記スピーカ(20)が前記筐体内から突出し、前記スピーカ(20)と前記背面壁(32)との間隔が拡大される。
【０００６】
上記本発明に係るブザー装置においては、スピーカ(20)の非鳴動時、即ち通常時には、スピーカ(20)と背面壁(32)との間隔が狭いのに対し、一方、非常時においては、スピーカ(20)が鳴動すると共に、スピーカ(20)と背面壁(32)との間隔が拡大する。
【０００７】
スピーカ(20)から発せられた音の大部分は、スピーカ(20)から直接前方へ向かって進行するが、スピーカ(20)から発せられた音の一部は、スピーカ(20)の後方、即ち背面壁(32)側に向かって進行する。背面壁(32)側に向かって進行する音は、背面壁(32)にて反射され、反射された音は、背面壁(32)から前方、即ちスピーカ(20)側に向かって進行することとなる。
スピーカ(20)から直接前方へ向かって進行する直接音は、反射音と干渉し合うが、反射音は直接音に対して位相がずれているので、直接音の一部が反射音によって打ち消されることになる。
【０００８】
しかしながら、スピーカ(20)と背面壁(32)との間隔が拡大することによって、スピーカ(20)から背面壁(32)側に向かって進行する音が背面壁(32)に到達するまでの減衰量、及び反射音が背面壁(32)からスピーカ(20)位置に到達するまでの減衰量は、スピーカ(20)と背面壁(32)が接近している場合に比べて増大する。この結果、スピーカ(20)から発せられた音は、大きな音量低下を伴うことなく、筐体の前方へ放出されることになる。
【０００９】
具体的な構成において、スピーカ(20)から発せられた音を前記筐体の前方へ放出するための音響通路が開設された前面壁(22)を有している。該前面壁(22)に前記スピーカ(20)が固定されており、前記スピーカ(20)が前記前面壁(22)を介して前記駆動機構(７)に連結されている。
【００１０】
更に具体的な構成において、前記駆動機構(７)は、前記前面壁(22)と背面壁(32)の間に介在する弾性体と、前記前面壁(22)と背面壁(32)とを互いに係合させるための係合手段と、前記スイッチ操作と連動して前記前面壁(22)と背面壁(32)との係合を解除するための解除手段とから構成されている。
【００１１】
該具体的な構成によれば、前面壁(22)には、筐体の前方へ向かう弾性力が作用している。前記前面壁(22)は、弾性力に抗して背面壁(32)と係合し、この状態において、スピーカ(20)は筐体内に収容されている。そして、前記前面壁(22)と背面壁(32)との係合が解除されると、前面壁(22)は、弾性力によって筐体の前方へ向けて移動し、前面壁(22)に固定されたスピーカ(20)は、筐体内から突出する。
【００１２】
更に具体的な構成において、前記前面壁(22)が前記スイッチ操作のための操作部を構成する。
該具体的な構成によれば、スイッチ操作のための専用の部品を設ける場合に比べて、部品点数を削減することが出来る。
【００１３】
更に具体的な構成において、前記前方壁(22)と一体に形成された操作片によって押されることとなるプッシュスイッチを具え、該プッシュスイッチの動作によって前記スピーカ(20)が鳴動する。
該具体的な構成によれば、プッシュスイッチ(４)を押すためのスイッチ操作部を専用に設ける場合に比べて部品点数を削減出来る。
【００１４】
本発明に係る携帯型電子機器は、筐体と、該筐体内に収容されたスピーカ(20)と、前記筐体内において前記スピーカ(20)の背面に対向する背面壁(32)とを具えている。更に、スイッチ操作によって前記スピーカ(20)を通常の使用状態から警報音を発生させる状態に切り換えるための制御部(８)と、前記スイッチ操作と連動して作動する駆動機構(７)を具えている。そして、該駆動機構(７)の出力部に前記スピーカ(20)が繋がっており、前記駆動機構(７)の作動によって前記スピーカ(20)が筐体内から突出し、前記スピーカ(20)と前記背面壁(32)との間隔が拡大される。
【００１５】
上記本発明に係る携帯型電子機器によれば、通常使用されているスピーカ(20)によって、警報音を発生させることが出来る。通常の使用において、スピーカ(20)と背面壁(32)との間隔が狭く、一方、非常時において、スピーカ(20)から警報音が発生すると共に、スピーカ(20)と背面壁(32)との間隔が拡大する。そして、上記ブザー装置と同様に、スピーカ(20)から発せられた警報音は、大きな音量低下を伴うことなく、筐体の前方へ放出される。
【発明の効果】
【００１６】
本発明に係るブザー装置及びこれを具えた携帯型電子機器によれば、装置若しくは機器の薄型を維持したまま、大音量によるスピーカの鳴動が可能である。
【発明を実施するための最良の形態】
【００１７】
以下、本発明を、ブザー装置を具えた携帯電話機に実施した形態につき、図面に沿って具体的に説明する。図１に示す携帯電話機(１)は、一対の筐体(11)(12)をヒンジ機構(６)により互いに連結して構成されており、一対の筐体(11)(12)の内面を互いに対向させて折り畳むことが可能となっている。第１筐体(11)からはアンテナ(15)が突出しており、第１筐体(11)の内面には、送話部(18)、及び複数の操作キー(17)を具えた操作パネル(18)が配置されている。一方、第２筐体(12)の内面には、主受話部(14)と液晶表示画面(13)とが配置されている。
【００１８】
第１筐体(11)にはスピーカ(20)が内蔵されている。通常時において、スピーカ(20)は、携帯電話機(１)の着信音を発生させる役割と、ハンズフリーモード設定時の受話部として受話音声を発生させる役割を果たす。一方、非常時においては、スピーカ(20)は警報音を発生させる役割を果たす。
図２に示す様に、該スピーカ(20)を格納するための格納室(30)は、第１筐体の背面(19)側に形成されており、第１筐体(11)の背面(19)には、格納室(30)を第１筐体(11)の外部に開放する開口(10)が形成されている。
【００１９】
又、図３に示す様に、第１筐体(11)内には、格納室(30)を包囲する周壁(31)と、開口(10)に面する背面壁(32)とが設けられており、周壁(31)と背面壁(32)は、第１筐体(11)内に固定されている。
【００２０】
第１筐体(11)の開口(10)は、ケース(21)により塞がれており、該ケース(21)は、円形の前面壁(22)と、前面壁(22)の周縁から突出した筒状の側壁(24)とが一体に形成された有底筒状を呈している。
【００２１】
該ケース(21)内にはスピーカ(20)が収容されており、スピーカ(20)の前面がケース(21)の前面壁(22)に固定されている。前面壁(22)のスピーカ(20)との対向部には、複数の貫通孔(23)が設けられており、該複数の貫通孔(23)が、スピーカ(20)から発せられた音を前方へ放出するための音響通路として機能する。
【００２２】
ケース(21)は、第１筐体(11)の背面(19)に設けられた開口(10)から格納室(30)内に挿入されて、側壁(24)は、第１筐体(11)内の周壁(31)と互いに隣接して対向している。又、ケース(21)の前面壁(22)は、スピーカ(20)を介して第１筐体(11)内の背面壁(32)と互いに対向している。
この様なケース(21)は、第１筐体(11)の背面(19)から前後方向に移動可能であり、且つ、前面壁(22)の面内で回転可能となっている。
【００２３】
図３に示す様に、ケース(21)の側壁(24)の先端には、側壁(24)の外側に向けて突出した４つの突片(25)〜(25)が形成され、これら４つの突片(25)〜(25)は、側壁(24)の中心を介した２箇所に、それぞれ２つずつ配置されている。
【００２４】
一方、第１筐体(11)内の周壁(31)には、ケース(21)に形成された４個の突片(25)〜(25)と対応する４箇所に、格納室(30)の外側に向けて凹んだ４本の溝(33)〜(33)が形成されている。各溝(33)は、前面壁(22)と背面壁(32)との間を直線状に伸びる係合通路部(34)と、背面壁(32)側において各溝(33)の幅を拡大する様に係合通路部(34)の片側から矩形状に延出された係合固定部(35)とから構成されている。尚、各溝(33)の係合通路部(34)から係合固定部(35)が延出される方向は、一方向に揃えられている。
【００２５】
又、図５に示す様に、前面壁(22)と背面壁(32)の間に２本のバネ部材(５)(５)が介在している。各バネ部材(５)の両端部は、それぞれ背面壁(32)と前面壁(22)に固定され、前面壁(22)に固定された各バネ部材(５)の一端部は、前面壁(22)の周縁部に沿って設けられた凹部内に収容されている。
【００２６】
斯くして、ケース(21)に形成された４つの突片(25)〜(25)と、第１筐体(11)内に固定された周壁(31)の４箇所に形成された４本の溝(33)〜(33)と、前面壁(22)と背面壁(32)の間に介在する２本のバネ部材(５)(５)とによって、スピーカ(20)を駆動する駆動機構(７)が構成されている。
【００２７】
ケース(21)に設けられた各突片(25)が、周壁(31)に設けられた各溝(33)の係合固定部(35)内に配置されているとき、ケース(21)と周壁(31)とは互いに係合している。この様に、ケース(21)と周壁(31)とが互いに係合することによって、ケース(21)の前方壁(22)と、周壁(31)と共に第１筐体(11)内に固定された背面壁(32)とが、互いに係合した状態となっている。
【００２８】
前方壁(22)と背面壁(32)との係合状態において、スピーカ(20)は格納室(30)内に収容されている。又、図２に示す様に、ケース(21)の前面壁(22)は、第１筐体(11)の背面(19)よりも僅かに凹んで配置された状態となっている。
【００２９】
又、図５に示す様に、係合状態において、ケース(21)には、２つのバネ部材(５)(５)により第１筐体(11)の前方へ向かう弾性力が作用している。これによって、各溝(33)の係合固定部(35)内に配置された各突片(25)は、係合固定部(35)の前方壁(22)側の内面(36)に押圧されている。
【００３０】
各溝(33)の係合固定部(35)には、係合状態において各突片(25)により押圧される内面(36)の位置に、プッシュスイッチ(４)が配置されている。係合状態において、各プッシュスイッチ(４)は各突片(25)によって押されている。
【００３１】
各プッシュスイッチ(４)が各突片(25)により押されている状態において、スピーカ(20)は通常の使用状態となっている。通常の使用状態のスピーカ(20)は、携帯電話機(１)の着信音を発生させる役割を果たすと共に、ハンズフリーモード設定時においては、受話音声を発生させる受話部としての役割を果たす。
【００３２】
図７に、制御部(80)によるスピーカ(20)の制御ブロック図を示す。図７に示す様に、携帯電話機(１)のアンテナ(15)によって受信された信号は、無線回路(85)を経て制御部(80)に入力される。制御部(80)はプッシュスイッチ(４)を介して電源(82)に接続されており、プッシュスイッチ(４)のオン／オフによって、制御部(80)に入力される電圧が切り換えられる様になっている。
【００３３】
一方、制御部(80)からは、アンプ部(81)に音声信号が出力されると共に、音声信号の増幅度を制御するための制御信号が出力される。そして、アンプ部(81)によって増幅された音声信号が、スピーカ(20)に出力される様になっている。
【００３４】
図７及び下記表に示す様に、前記突片(25)によりプッシュスイッチ(４)が押されているとき、制御部(80)には、ハイレベルの電圧Ｈが入力されている。制御部(80)にハイレベルの電圧Ｈが入力されている状態では、制御部(80)からアンプ部(81)の一方の入力部Ａにオフ信号が出力されている。
【００３５】
【表１】
2008028595.tif 000003
【００３６】
この状態において、制御部(80)にアンテナ(15)からの受信信号が入力されないとき、制御部(80)からアンプ部(81)の他方の入力部Ｂにオフ信号が出力され、スピーカ(20)から音は発せられない。
【００３７】
又、制御部(80)からアンプ部(81)の一方の入力部Ａにオフ信号が出力されている状態において、制御部(80)にアンテナ(15)からの受信信号が入力されたとき、制御部(80)からは、着信音、或いは受話音声の音声信号がアンプ部(81)に出力されると共に、制御部(80)からアンプ部(81)の他方の入力部Ｂにオン信号が出力される。そして、アンプ部(81)は、通常の増幅によって音声信号をスピーカ(20)に出力し、スピーカ(20)からは、着信音或いは通話音声が発生する。
【００３８】
このとき、図５に示す様に、スピーカ(20)から発せられた着信音、或いは通話音声の一部は、背面壁(32)により反射される。背面壁(32)によって反射された反射音は、スピーカ(20)から直接発せられた直接音に対して位相がずれている。
【００３９】
この反射音によって、スピーカ(20)から直接に前面壁(22)側に向けて進行する直接音の一部が打ち消され、スピーカ(20)から発せられた音の音量は、第１筐体(11)の前方へ放出される前に低下する。しかしながら、着信音や通話音声は、ブザー装置の警報音に要求される様な大音量は必要ないので、音量の低下によって支障は生じない。
【００４０】
一方、非常時においては、ケース(21)を前面壁(22)の面内で回転させるスイッチ操作を行なって、スピーカ(20)から大音量の警報音を発生させる。この様なスイッチ操作によって、ケース(21)に形成された各突片(25)は、周壁(31)に形成された各溝(33)の係合固定部(35)から係合通路部(34)に移動して、ケース(21)と周壁(31)との係合状態、即ち前方壁(22)と背面壁(32)との係合状態が解除される。
【００４１】
前方壁(22)と背面壁(32)との係合状態が解除されると、バネ部材(５)(５)からケース(21)に作用している弾性力によって、各突片(25)が各溝(33)の係合通路部(34)に沿って移動すると共に、ケース(21)が格納室(30)の前方へ向けて押し出される。そして、図６に示す様に、各突片(25)が各溝(33)の上端内面(39)に受け止められた状態でケース(21)が周壁(31)に再び係合することとなる。
【００４２】
この状態で、スピーカ(20)は格納室(30)の前方に位置しており、図４に示す様に、ケース(21)の前面壁(22)は、第1筐体(11)の背面(19)から前方に突出している。従って、図６に示す様に、スピーカ(20)と背面壁(32)との間隔は、スピーカ(20)が格納室(30)内に収容されている場合と比べて拡大している。
【００４３】
又、前方壁(22)と背面壁(32)との係合状態が解除されると同時に、各突片(25)が各プッシュスイッチ(４)から離れて、各プッシュスイッチ(４)は突出状態となる。このとき、図７と上記表に示す様に、制御部(80)に入力される電圧は、ハイレベルの電圧Ｈからローレベルの電圧Ｌに切り換えられる。制御部(80)にローレベルの電圧Ｌが入力されると、制御部(80)からアンプ部(81)に警報音の音声信号が出力されると共に、アンプ部(81)の両方の入力部Ａ、Ｂにオン信号が出力される。そして、アンプ部(81)は警報音時の状態、即ち、通常時に比べて増幅度を増した状態となり、アンプ部(81)によって増幅された警報音の音声信号がスピーカ(20)に出力され、スピーカ(20)から大音量の警報音が発せられる。
【００４４】
警報音の発生時、図６に示す様に、スピーカ(20)から発せられた警報音の大部分は、スピーカ(20)から前面壁(22)に向かって進行するが、スピーカ(20)から発せられた音の一部は、スピーカ(20)の後方、即ち背面壁(32)側に向かって進行する。背面壁(32)側に向かって進行する音は、背面壁(32)にて反射され、背面壁(32)により反射された音は、背面壁(32)から前方、即ちスピーカ(20)側に向かって進行することとなる。
【００４５】
スピーカ(20)から直接に前面壁(22)へ向かって進行する直接音は、反射音と干渉し合うが、反射音は、直接音に対して位相がずれているので、直接音の一部が反射音によって打ち消される。
【００４６】
しかしながら、警報音の発生時にはスピーカ(20)と背面壁(32)との間隔が拡大することによって、スピーカ(20)から背面壁(32)側に向かって進行する音が背面壁(32)に到達するまでの減衰量、及び反射音が背面壁(32)からスピーカ(20)位置に到達するまでの減衰量は、スピーカ(20)が背面壁(32)に接近している場合、即ちスピーカ(20)が通常の使用状態である場合に比べて増大している。この様にして反射音の影響が抑制されて、スピーカ(20)から発せられた警報音は、大きな音量低下を伴うことなく、第１筐体(11)の前方へ放出されることになる。
【００４７】
警報音の鳴動状態から、警報音を停止させるためには、第1筐体(11)の背面(19)から突出したケース(21)を押し下げて、ブザー装置作動時のスイッチ操作と逆向きにケース(21)を回転させる。この様なスイッチ操作によって、スピーカ(20)は通常の使用状態に戻ることになる。
上記の様に、本発明を実施した携帯電話機(１)によれば、携帯電話機(１)の薄型を維持したまま、大音量によるスピーカ(20)の鳴動が可能である。
【００４８】
尚、本発明の各部構成は上記実施の形態に限らず、特許請求の範囲に記載の技術的範囲内で種々の変形が可能である。例えば、本発明は、携帯電話機に限らず、ブザー装置を具えた小型ゲーム機等、種々の携帯型電子機器に実施することも可能である。又、ケース(21)を駆動するための駆動機構は、上記構成に限らず、例えばラチェット機構を用いて構成することも可能である。ラチェット機構を用いた駆動機構によれば、ケース(21)を押し下げる操作のみで、ケース(21)の回転操作を行なうことなく、ブザー装置を作動させるためのスイッチ操作を行なうことが出来ると共に、前面壁(22)を再び押し下げる操作によって、スピーカ(20)を通常の使用状態に戻すためのスイッチ操作を行なうことが出来る。
【図面の簡単な説明】
【００４９】
【図１】本発明のブザー装置が装備された携帯電話機が開かれた状態の斜視図である。
【図２】図１に示す携帯電話機が閉じられた状態の背面を示す斜視図である。
【図３】図２に示す携帯電話機の分解斜視図である。
【図４】図２に示す携帯電話機の背面を示す斜視図である。
【図５】図１に示す携帯電話機の通常状態におけるスピーカ部分の断面図である。
【図６】図１に示す携帯電話機の警報音鳴動状態におけるスピーカ部分の断面図である。
【図７】スピーカの制御ブロック図である。
【図８】従来の携帯電話機のスピーカ部分の断面図である。
【符号の説明】
【００５０】
(１)  携帯電話機
(11)  第１筐体
(20)  スピーカ
(21)  ケース
(22)  前面壁
(23)  貫通孔
(24)  側壁
(25)  突片
(30)  格納室
(31)  周壁
(32)  背面壁
(33)  溝
(34)  係合通路部
(35)  係合固定部
(36)  内面
(４)  プッシュスイッチ
(５)  バネ部材
(７)  駆動機構
(80)  制御部
【図１】
2008028595.tif 000004
【図２】
2008028595.tif 000005
【図３】
2008028595.tif 000006
【図４】
2008028595.tif 000007
【図５】
2008028595.tif 000008
【図６】
2008028595.tif 000009
【図７】
2008028595.tif 000010
【図８】
2008028595.tif 000011